【事件の表示】
　特願２０１４−７７５７２号「遊技台」拒絶査定不服審判事件〔平成２７年１１月１２日出願公開、特開２０１５−１９８６８５号〕について、次のとおり審決する。
【結　論】
　本件審判の請求は、成り立たない。
【理　由】
第１　手続の経緯の概要
　本願は、平成２６年４月４日の出願であって、平成２８年７月２５日付けで拒絶の理由が通知され、同年９月２３日に意見書及び手続補正書が提出され、平成２９年２月３日付けで最後の拒絶の理由が通知され、同年３月１５日に意見書及び手続補正書が提出されたところ、同年６月１９日付けで、同年３月１５日に提出された手続補正書でした補正の却下の決定がなされ、同日付けで拒絶査定がなされ（発送日：同年６月２３日）、それに対し、同年７月５日に拒絶査定不服審判の請求がなされると同時に手続補正書が提出されたものである。
　
第２　平成２９年７月５日付けの手続補正についての補正却下の決定
　平成２９年７月５日付けの手続補正（以下「本件補正」という。）を却下する。
　
［理由］
　１　補正の内容
　本件補正は、特許請求の範囲の補正を含んでおり、本件補正により、平成２８年９月２３日付けの手続補正書における特許請求の範囲の請求項１における
「表示可能な表示手段と、
　動作可能な第一の可動体と、
　動作可能な第二の可動体と、
　光を透過可能な透過手段と、
　装飾体と、
を備えた遊技台であって、
　前記第一の可動体は、前記表示手段よりも遊技者側に位置する可動体であり、
　前記透過手段は、前記第一の可動体よりも遊技者側に位置する手段であり、
　前記装飾体は、前記透過手段よりも遊技者側に位置する装飾体であり、
　前記第一の可動体の少なくとも一部が、前記表示手段の少なくとも一部にオーバーラップする場合があり、
　前記透過手段の少なくとも一部が、前記表示手段の少なくとも一部にオーバーラップし、
　前記表示手段と前記第一の可動体との間には、第一の隙間が形成され、
　前記第一の可動体と前記透過手段との間には、第二の隙間が形成され、
　前記透過手段と前記装飾体との間には、第三の隙間が形成され、
　前記第三の隙間は、前記第二の隙間と少なくとも連通し、
　前記第一の可動体と前記第二の可動体は異なる可動体であり、
　前記第一の可動体は、第一の状態から動作可能な可動体であり、
　前記第二の可動体は、第二の状態から動作可能な可動体であり、
　前記第一の状態とは、前記第一の可動体が第一の位置にある状態のことであり、
　前記第二の状態とは、前記第二の可動体が第二の位置にある状態のことであり、
　前記第一の位置と前記第二の位置は異なる位置であり、
　前記第一の位置とは、前記第一の可動体の初期位置のことであり、
　前記第二の位置とは、前記第二の可動体の初期位置のことであり、
　前記第一の可動体は、第一の動作を実行可能な可動体であり、
　前記第一の動作とは、前記第一の可動体が前記第一の状態に戻る動作のことであり、
　前記第二の可動体は、第二の動作を実行可能な可動体であり、
　前記第二の動作とは、前記第二の可動体が前記第二の位置から遠ざかる動作を開始してから前記第二の状態に戻るまでの動作のことであり、
　第一の時期において前記第一の可動体が前記第一の状態でないと前記第一の動作が実行され、
　電源が投入されると前記第二の動作が実行され、
　前記第一の動作の後にも前記第二の動作が実行される、
ことを特徴とする遊技台。」は、
　
　審判請求時に提出された手続補正書（平成２９年７月５日付け）における
「表示可能な表示手段と、
　動作可能な第一の可動体と、
　動作可能な第二の可動体と、
　光を透過可能な透過手段と、
　装飾体と、
を備えた遊技台であって、
　前記第一の可動体は、前記表示手段よりも遊技者側に位置する可動体であり、
　前記透過手段は、前記第一の可動体よりも遊技者側に位置する手段であり、
　前記装飾体は、前記透過手段よりも遊技者側に位置する装飾体であり、
　前記第一の可動体の少なくとも一部が、前記表示手段の少なくとも一部にオーバーラップする場合があり、
　前記透過手段の少なくとも一部が、前記表示手段の少なくとも一部にオーバーラップし、
　前記表示手段と前記第一の可動体との間には、第一の隙間が形成され、
　前記第一の可動体と前記透過手段との間には、第二の隙間が形成され、
　前記透過手段と前記装飾体との間には、第三の隙間が形成され、
　前記第三の隙間は、前記第二の隙間と少なくとも連通し、
　前記第一の可動体と前記第二の可動体は異なる可動体であり、
　前記第一の可動体は、第一の状態から動作可能な可動体であり、
　前記第二の可動体は、第二の状態から動作可能な可動体であり、
　前記第一の状態とは、前記第一の可動体が第一の位置にある状態のことであり、
　前記第二の状態とは、前記第二の可動体が第二の位置にある状態のことであり、
　前記第一の位置と前記第二の位置は異なる位置であり、
　前記第一の位置とは、前記第一の可動体の初期位置のことであり、
　前記第二の位置とは、前記第二の可動体の初期位置のことであり、
　前記第一の可動体は、第一の動作を実行可能な可動体であり、
　前記第一の動作とは、前記第一の可動体が前記第一の状態に戻る動作のことであり、
　前記第二の可動体は、第二の動作を実行可能な可動体であり、
　前記第二の動作とは、前記第二の可動体が前記第二の位置から遠ざかる動作を開始してから前記第二の状態に戻るまでの動作のことであり、
　
電源が投入されると前記第二の動作が実行され、
　
図柄変動表示が実行される期間
る場合があり、該
ことを特徴とする遊技台。」に補正された（下線は、補正箇所を明示するために審決にて付した。）。
　
　２　補正の目的
　上記補正は、補正前の請求項１に記載した発明を特定するために必要な事項である「第一の動作」に関して、「第一の時期において前記第一の可動体が前記第一の状態でないと前記第一の動作が実行され」、「前記第一の動作の後にも前記第二の動作が実行される」を「
図柄変動表示が実行される期間
る場合があり、該
　
　そして、補正後の請求項１に係る発明は、補正前の請求項１に係る発明と、産業上の利用分野及び解決しようとする課題が同一であるから、本件補正のうち特許請求の範囲の請求項１についてする補正は、特許法第１７条の２第５項第２号に規定する「特許請求の範囲の減縮」を目的とする補正に該当する。
　また、本件補正は、願書に最初に添付した明細書、特許請求の範囲又は図面等の記載からみて、新規事項を追加するものではない。
　
　３　独立特許要件について
　そこで、本件補正後の特許請求の範囲の請求項１〜８に係る発明は、その請求項１〜８に記載された事項により特定されるものと認められるところ、その請求項１に係る発明（以下「本件補正発明」という。）が特許出願の際独立して特許を受けることができるものであるか（特許法第１７条の２第６項において準用する同法第１２６条第７項の規定に適合するか）について以下に検討する。
　
　（１）本件補正発明
　本件補正発明は、次のとおりのものであると認める（記号Ａ〜Ｘは、分説するため当審で付した。）。
「Ａ１　表示可能な表示手段と、
Ａ２　動作可能な第一の可動体と、
Ａ３　動作可能な第二の可動体と、
Ａ４　光を透過可能な透過手段と、
Ａ５　装飾体と、
を備えた遊技台であって、
Ｂ　前記第一の可動体は、前記表示手段よりも遊技者側に位置する可動体であり、
Ｃ　前記透過手段は、前記第一の可動体よりも遊技者側に位置する手段であり、
Ｄ　前記装飾体は、前記透過手段よりも遊技者側に位置する装飾体であり、
Ｅ　前記第一の可動体の少なくとも一部が、前記表示手段の少なくとも一部にオーバーラップする場合があり、
Ｆ　前記透過手段の少なくとも一部が、前記表示手段の少なくとも一部にオーバーラップし、
Ｇ　前記表示手段と前記第一の可動体との間には、第一の隙間が形成され、
Ｈ　前記第一の可動体と前記透過手段との間には、第二の隙間が形成され、
Ｉ　前記透過手段と前記装飾体との間には、第三の隙間が形成され、
Ｊ　前記第三の隙間は、前記第二の隙間と少なくとも連通し、
Ｋ　前記第一の可動体と前記第二の可動体は異なる可動体であり、
Ｌ　前記第一の可動体は、第一の状態から動作可能な可動体であり、
Ｍ　前記第二の可動体は、第二の状態から動作可能な可動体であり、
Ｎ　前記第一の状態とは、前記第一の可動体が第一の位置にある状態のことであり、
Ｏ　前記第二の状態とは、前記第二の可動体が第二の位置にある状態のことであり、
Ｐ　前記第一の位置と前記第二の位置は異なる位置であり、
Ｑ　前記第一の位置とは、前記第一の可動体の初期位置のことであり、
Ｒ　前記第二の位置とは、前記第二の可動体の初期位置のことであり、
Ｓ　前記第一の可動体は、第一の動作を実行可能な可動体であり、
Ｔ　前記第一の動作とは、前記第一の可動体が前記第一の状態に戻る動作のことであり、
Ｕ　前記第二の可動体は、第二の動作を実行可能な可動体であり、
Ｖ　前記第二の動作とは、前記第二の可動体が前記第二の位置から遠ざかる動作を開始してから前記第二の状態に戻るまでの動作のことであり、
Ｗ　電源が投入されると前記第二の動作が実行され、
Ｘ　図柄変動表示が実行される期間において前記第一の可動体が前記第一の状態でないと前記第一の動作が実行される場合があり、該第一の動作の後にも前記第二の動作が実行される、
ことを特徴とする遊技台。」
　
　（２）刊行物
　　　ア　刊行物１
　原査定の拒絶の理由に引用された、本件の出願前に頒布された刊行物である特開２０１２−１７５９９３号公報（以下「刊行物１」という。）には、表示装置と演出用役物装置を備えたパチンコ遊技機に関して、図面と共に以下の事項が記載されている（下線は審決にて付した。以下同じ。）。
　
　・記載事項
　　　（ア）「【技術分野】
【０００１】
　本発明は、演出表示を表示部で実行可能な表示装置と、演出表示の進行に関連して作動する演出用役物装置と、を備えた
パチンコ遊技機
　
　　　（イ）「【００２２】
　以下、代表的な遊技機であるパチンコ遊技機を例に挙げて本発明の実施の形態を図面に基づき説明する。なお、説明においては、遊技者に近い側を前方、遠い側を後方とする。
　
パチンコ遊技機１は、
【００２３】
　遊技盤５は、図２および図３に示すように、合板やプラスチックなどで形成された矩形状の遊技盤本体２２を備え、該遊技盤本体２２の表面に複数のサイドケース２４を止着して遊技領域２５を区画形成し、遊技領域２５の側方（図２中、左側方）には、発射装置から発射された遊技球を遊技領域２５の一側上部まで案内する発射球案内路２６をガイドレール２７により縦長な円弧状に形成している。また、遊技領域２５内の略中央に包囲枠体３０を備え、該包囲枠体３０の前側部を遊技盤本体２２の前側に突出した状態で配置するとともに、後側部を遊技盤本体２２の裏側に突出した状態で配置し、包囲枠体３０の後方には
変動表示装置３１
・・・　
【００２７】
　センターケースユニット５１は、遊技領域２５のうち変動表示装置３１の前方に配置された枠体構造のユニットであり、当該センターケースユニット５１の中央部分には表示開口部５６が遊技盤５の表裏方向へ貫通する状態で開設され、該表示開口部５６から変動表示装置３１の表示部３１ａを遊技盤５の前方へ臨ませている。具体的な構造を説明すると、図４に示すように、遊技盤本体２２の表面のうち枠体装着開口部２２ａの開口縁に沿って止着される環状の装飾ベース５７を備え、
該装飾ベース５７の上部には庇状の鎧部５８を
備えるとともに、装飾ベース５７よりも前方へ突出した状態に設定している。
縦長な側辺部５９を装飾ベース５７よりも前方へ突出した状態で備え
装飾ベース５７の下部には、
ステージ部６０を
延設し、装飾ベース５７の前面のうち
側辺部５９とは反対側
右側
には、
側部装飾部材６２を止着している
・・・
【００３１】
　また、図４および図５に示すように、
ステージ部６０の後方には、透光性部材
で形成された仕切り壁部７１を止着し
　
　　　（ウ）「【００３５】
　次に、枠体基部５２について説明する。
　枠体基部５２は、図３および図９に示すように、遊技盤５の裏面側に止着される額縁状の基部ケース９１を前側が開放した状態で備え、該基部ケース９１の後部には矩形状の開口窓９１ａを遊技盤５の表裏方向へ貫通して開設し、基部ケース９１の後方から変動表示装置３１を装着して、変動表示装置３１の表示部３１ａを開口窓９１ａおよびセンターケースユニット５１の表示開口部５６から包囲枠体３０の前方へ臨ませている。さらに、開口窓９１ａの周縁の前側には、複数の演出用役物装置５４（演出役物ユニット９５、
昇降役物ユニット９６
を備えている。
【００３６】
　詳しくは、開口窓９１ａの外周縁の前側には額縁状のユニット取付枠９７を備え、該ユニット取付枠９７の内側開口の上縁部および左右両側縁部には複数の装飾材９８を止着している。また、ユニット取付枠９７の上辺部の前面には、演出役物ユニット９５の一部を構成す
る第１可動役物ユニット１０１を装着して表示開口部５６の上縁部と変動表示装
第１可動役物ユニット１０１が表示部３１ａの上方に位置し
【００３７】
　演出役物ユニット９５は、第１可動役物ユニット１０１（本発明における上下動役物ユニットに相当）と第２可動役物ユニット１０２とを備えて演出動作を実行可能なユニットである。
第１可動役物ユニット１０１は、
可動役物ベースパネル１１０を備え、
可動役物ベースパネル１１０
には装飾動作ユニット１１２を装着している。
【００３８】
　
装飾動作ユニット１１２は、
第１ユニットベース１１５
を備えている。
【００３９】
　
第１ユニットベース１１５は、
第１装飾本体部１２１
を搭載し
【００４０】
　第１本体駆動機構１２２は、図１２および図１３に示すように、回動力を出力する単一の第１本体駆動モータ１２６と、該第１本体駆動モータ１２６に接続される第１回動伝達機構１２７とを備えて構成されている。そして、第１ユニットベース１１５の裏側のうち第１ユニット回動軸１１９から外れた位置に第１本体駆動モータ１２６を装着して出力軸を第１ユニットベース１１５内に挿入し、第１本体駆動モータ１２６の出力軸の先端には第１本体駆動ギア１２９を共回り状態で止着している。また、第１装飾本体部１２１毎に接続される複数の第１回動ギア１３０と、隣り合う第１回動ギア１３０の間に配置された第１回動伝達ギア１３１とを第１ユニットベース１１５の長手方向に沿って並ぶ状態で連結して第１回動伝達機構１２７を構成し、第１回動ギア１３０と第１装飾本体部１２１とを接続軸１３２（詳しくは、第１フロントベース１１５ａを遊技盤５の表裏方向へ貫通する接続軸１３２）で接続して共回り可能とし、第１ユニットベース１１５内で最も第１ユニット回動軸１１９寄りに位置する第１回動ギア１３０を第１本体駆動ギア１２９へ噛合している。そして、第１本体駆動モータ１２６を駆動して回動力を出力すると、この回動力が第１回動伝達機構１２７により各第１装飾本体部１２１へ伝達され、全ての
第１装飾本体部１２１が同じ方向に回動して装飾動作を実行する
　
　　　（エ）「【００７２】
　第１昇降ユニットアーム１７８が上死点に位置する状態では、第１軸回動機構２１６の第１回動操作カムフォロワ２３４が第１回動操作カム溝２３５の傾斜上端に係合して当該第１回動操作カムフォロワ２３４の下死点（第１昇降ユニットアーム１７８に対する下死点）まで押し下げられ、この押し下げ力が第１回動操作アーム２３２の第１伝達ギア２３３から第１昇降回動ギア２３１へ伝達されて第１昇降回動軸１８６を遊技盤５の正面から見て反時計方向へ十分に回動し、第１昇降装飾ユニット１７１を第１装飾展開状態へ変換する。また、第２昇降ユニットアーム１９８が上死点に位置する状態では、第２軸回動機構２１７の第２回動操作カムフォロワ２４４が第２回動操作カム溝２４５の傾斜上端に係合して当該第２回動操作カムフォロワ２４４の下死点（第２昇降ユニットアーム１９８に対する下死点）まで押し下げられ、この押し下げ力が第２回動操作アーム２４２の第２伝達ギア２４３から第２昇降回動ギア２４１へ伝達されて第２昇降回動軸２０６を遊技盤５の正面から見て時計方向へ十分に回動し、第２昇降装飾ユニット１７２を第２装飾展開状態へ変換する。このようにして
昇降役物ユニット９６
第１昇降役物本体部１７６が第１装飾展開状態で
表示部３１ａの前方に位置するとともに、第２昇降役物本体部１９６が第２装飾展開状態で
表示部３１ａの前方に位置する。
　・・・
　【００８３】
　次に、上記した構成を有する遊技盤５（パチンコ遊技機１）の作用、特に、包囲枠体３０の作用や補助演出ユニット２６０の作用について説明する。なお、遊技制御装置２８０は、予め
変動表示ゲーム
を行って
いない状態
で
第１ユニットベース１１５を上昇状態に設定し
第１装飾本体部１２１
の回転を停止する制御を実行している
　
　　　（オ）「【００９４】
　
演出役物ユニット９５による演出動作に関しては、本実施形態では昇降役物ユニット９６と当接して干渉する虞があるため、昇降役物ユニット９６の演出動作とは連動せず
　
　　　（カ）「【０１１９】
　ところで、上記各実施形態では、包囲枠体３０と変動表示装置３１の表示部３１ａとの間に補助演出ユニット２６０を配置したが、本発明はこれに限定されない。例えば、図４９に示す第３実施形態では、基本的には第１実施形態と同じであるが、補助演出ユニット３３０を演出用役物装置５４の一部として昇降役物ユニット９６とステージ部６０との間に備えた点で異なる。具体的に説明すると、第３実施形態における包囲枠体３０は、
ステージ部６０の後方に位置する透明な仕切り壁部７１と昇降役物ユニット９６との間に、
補助表示を実行して演出を行う補助演出ユニット３３０を備えている
【０１２０】
　
補助演出ユニット３３０は、
昇降役物ユニット９６よりも前方に配置されて表示部３１ａを被覆する矩形状の透明な導光板３３１と
を備えて構成されている。
昇降役物ユニット９６における昇降役物本体部（
第１昇降役物本体部１７６
第２昇降役物本体部１９６）
昇降役物ユニット９６が上降状態に変換すると、
導光板３３１の上下幅に亘って広がるように設定されている
・・・
【０１２３】
　このような構成の補助演出ユニット３３０を演出用役物装置５４に含むパチンコ遊技機１においては、図５２に示す
タイムチャートに基づいて演出動作を実行する。
昇降役物ユニット９６が下降状態から上昇状態へ変換し始める
昇降役物ユニット９６が上昇状態への変換を完了する
【０１２４】
　次に、
昇降役物ユニット９６が上昇状態から下降状態へ変換し始める
昇降役物ユニット９６が下降状態への変換を完了する
　
　・認定事項
　　　（キ）刊行物１の【００３６】に「第１可動役物ユニット１０１が表示部３１ａの上方に位置し」と記載され、【００３７】に「第１可動役物ユニット１０１は、・・・可動役物ベースパネル１１０を備え、・・・可動役物ベースパネル１１０・・・には装飾動作ユニット１１２を装着している。」と記載され、かつ、【００３８】に「装飾動作ユニット１１２は、・・・第１ユニットベース１１５・・・を備えている。」と記載されていることから、刊行物１には、第１可動役物ユニット１０１が第１ユニットベース１１５を有することが記載されている。
　また、刊行物１の【００３９】に「第１ユニットベース１１５は、・・・第１装飾本体部１２１・・・を搭載」することが記載されている。
　したがって、刊行物１には、「
表示部３１ａの上方に位置し、第１装飾本体部１２１を搭載する第１ユニットベース１１５を有する、第１可動役物ユニット１０１
　
　そして、刊行物１には、上記「第１装飾本体部１２１」に関して、【００４０】に「第１装飾本体部１２１が・・・回動して装飾動作を実行する」と記載され、【００８３】に「変動表示ゲーム・・・を行っていない状態・・・で・・・第１ユニットベース１１５を上昇状態に設定し、第１装飾本体部１２１・・・の回転を停止する制御を実行している・・・」と記載されている。
　したがって、刊行物１には、「
変動表示ゲームを行っていないときに第１ユニットベース１１５を上昇状態に設定し、第１装飾本体部１２１の回転を停止する制御を実行し、装飾動作を行うときに第１装飾本体部１２１を回動させる制御を実行する
　
　　　（ク）刊行物１の【００７２】に「昇降役物ユニット９６・・・第１昇降役物本体部１７６が第１装飾展開状態で・・・表示部３１ａの前方に位置するとともに、第２昇降役物本体部１９６が第２装飾展開状態で・・・表示部３１ａの前方に位置する。」と記載されている。
　そして、導光板と昇降役物本体部と表示部との位置関係を示す模式図である【図５０】、及び、透光窓部を備えた昇降役物本体部の説明図である【図５５】に、第１昇降役物本体部１７６、第２昇降役物本体部１９６が、表示部３１ａの前方に、その高さが表示部３１ａよりも低くなるように、間隔を置いて配置されていることが図示されている。
　したがって、刊行物１には、
昇降役物ユニット９６の第１昇降役物本体部１７６、第２昇降役物本体部１９６は、表示部３１ａの前方に、展開状態での高さが表示部３１ａよりも低くなるように、間隔を置いて配置されている
　
　　　（ケ）刊行物１の【０１２０】に「補助演出ユニット３３０は、図５０（ａ）に示すように、昇降役物ユニット９６よりも前方に配置され・・・」と記載され、上記【図５０】、上記【図５５】に、補助演出ユニット３３０が、昇降役物ユニット９６よりも前方に、表示部３１ａよりも低くなるように、間隔を置いて配置されていることが図示されている。
　したがって、刊行物１には、
補助演出ユニット３３０は、昇降役物ユニット９６よりも前方に、表示部３１ａよりも低くなるように、間隔を置いて配置されている
　
　　　（コ）上記（ア）〜（カ）の記載事項、及び、上記（キ）〜（ケ）の認定事項を総合すると、刊行物１には次の発明（以下「刊行物発明」という。）が記載されていると認められる（ａ〜ｔは、本件補正発明のＡ〜Ｔに対応させて付与した。）。
「ａ１　変動表示装置３１（【００２３】）と、
ａ２　第１昇降役物本体部１７６、第２昇降役物本体部１９６を有する昇降役物ユニット９６（【００３５】、【０１２０】）と、
ａ３、ｋ　表示部３１ａの上方に位置し、第１装飾本体部１２１を搭載する第１ユニットベース１１５を有する、第１可動役物ユニット１０１（認定事項（キ−１））と、
ａ４　補助演出ユニット３３０の矩形状の透明な導光板３３１（【０１２０】）と、
ａ５　上部に庇状の鎧部５８を、左側に縦長な側辺部５９を有し、下部にステージ部６０が延設され、右側に側部装飾部材６２が止着される装飾ベース５７と（【００２２】、【００２７】）
 を備えるパチンコ遊技機であって（【０００１】）、
　
ｂ、ｅ　昇降役物ユニット９６の第１昇降役物本体部１７６、第２昇降役物本体部１９６は、展開状態で表示部３１ａの前方に配置され（【００７２】）、
　
ｃ、ｆ　補助演出ユニット３３０は、昇降役物ユニット９６よりも前方に配置されて表示部３１ａを被覆し（【０１２０】）、
　
ｄ、ｉ　ステージ部６０の後方に位置する透明な仕切り壁部７１と昇降役物ユニット９６との間に、補助表示を実行して演出を行う補助演出ユニット３３０を配置し（【０１１９】）、
　鎧部５８と縦長な側辺部５９とは、装飾ベース５７よりも前方へ突出した状態に設定され（【００２７】）、
　側部装飾部材６２は、装飾ベース５７の前面のうち側辺部５９とは反対側に止着され（【００２７】）、
　
ｇ　昇降役物ユニット９６の第１昇降役物本体部１７６、第２昇降役物本体部１９６は、表示部３１ａの前方に、展開状態での高さが表示部３１ａよりも低くなるように、間隔を置いて配置され（認定事項（ク））、
　
ｈ　補助演出ユニット３３０は、昇降役物ユニット９６よりも前方に、表示部３１ａよりも低くなるように、間隔を置いて配置され（認定事項（ケ））、
　
ｊ　昇降役物ユニット９６が上降状態に変換されると、導光板３３１の上下幅に亘って広がるように設定され（【０１２０】）、
　
ｌ、ｎ、ｑ、ｓ、ｔ　昇降役物ユニット９６は、タイムチャートに基づいて、下降状態から上昇状態へ変換し、その後、上昇状態から下降状態へ変換し（【０１２３】、【０１２４】）、
　
ｍ、ｏ、ｐ、ｒ　変動表示ゲームを行っていないときに第１ユニットベース１１５を上昇状態に設定し、第１装飾本体部１２１の回転を停止する制御を実行し、装飾動作を行うときに第１装飾本体部１２１を回動させる制御を実行する（認定事項（キ−２））パチンコ遊技機１。」
　
　　　イ　刊行物２
　同じく、原査定の拒絶の理由に引用された、本件の出願前に頒布された刊行物である特開２０１３−２３６６８１号公報には、弾球遊技機に関して、図面と共に以下の事項が記載されている。
　　　（ア）「【技術分野】
【０００１】
　本発明は、種々の図柄を変動表示する表示装置を備えた
弾球遊技機
・・・
【発明が解決しようとする課題】
【０００５】
　しかしながら、特許文献１では、二つの可動体が動作範囲のある位置で干渉するような配置となっている場合については考慮されていない。従って、上記の電源投入時の処理をそのまま実行した場合には、可動体動作確認処理で二つの可動体が接触し、壊れてしまうおそれがある。
【０００６】
　本発明は、このような事情に鑑みてなされたものであり、
複数の可動体が動作範囲のある位置で干渉するように配置されている場合であっても、可動体動作確認処理で両可動体が接触し、壊れてしまうことを防止できる遊技機を提供する
　
　　　（イ）「【００５１】
　
センター飾り体３４ａの上部には、上下方向に移動する可動体３７ａが配置されている。
【００５２】
　また、
センター飾り体３４ａの右側には竜の頭部の形状をした可動体３７ｂが配置されている。
【００５３】
　
可動体３７ａ、３７ｂは、本発明の「第１可動体」、「第２可動体」に相当する。
　
　　　（ウ）「【００９０】
　図６Ａは、可動体３７ａが動作（可動体３７ｂは静止）したときの様子を示している。
可動体３７ａは、
センター飾り体３４ａ上部
に位置している
可動体３７ａの原点位置
液晶表示装置３６の前方を覆う位置まで下降する。
演出の終了と共に、可動体３７ａは上昇し、再度、原点位置に戻る。
【００９１】
　また、パチンコ遊技機１の電源投入時に行われる可動体の動作確認処理では、可動体３７ａがその動作経路上で正常に動作するか確認する。従って、動作確認処理においても、可動体３７ａは、一度、下限位置まで下降し、その後、上昇して原点位置に戻る。
【００９２】
　次に、図６Ｂは、可動体３７ｂが動作（可動体３７ａは静止）したときの様子を示している。
可動体３７ｂは、
センター飾り体３４ａの右側の領域に
収められている
可動体３７ｂの原点位置ｃ
【００９３】
　図６Ｂに示すように、
竜の頭部の形状をした可動体３７ｂは、その口が開くような動作をする。
演出の終了と共に、可動体３７ｂは再度、原点位置に戻る。
【００９４】
　図６Ｂには、可動体３７ａが下限位置に下降した状態が破線で示されている。図示する通り、可動体３７ａが下限位置にあるとき、可動体３７ｂが上記の動作をすると、両可動体は接触する関係にある。従って、可動体３７ａ、３７ｂは、遊技における演出時に同時に動作することがないように設定されている。
【００９５】
　パチンコ遊技機１の
電源投入時に行われる可動体の動作確認処理では、可動体３７ｂについても、その動作経路上で正常に動作するか確認する。
　
　　　（エ）「【０１９７】
　また、
遊技中については、可動体の演出動作が終了した際に、第１、第２可動体原点位置判定処理及び原点位置復帰処理を行って、可動体を常に原点位置にセットする
　
　　　（オ）上記（ア）〜（エ）の記載事項を総合すると、刊行物２には次の発明（以下「刊行物２発明」という。）が記載されていると認められる（ａ〜ｘは、本件補正発明のＡ〜Ｘに対応させて付与した。）。
「ａ２　センター飾り体３４ａの上部に配置されている、上下方向に移動する可動体３７ａ（【００５１】）と、
　
ａ３、ｋ　センター飾り体３４ａの右側に配置されている、竜の頭部の形状をした可動体３７ｂ（【００５２】）と
　を備えた弾球遊技機（【０００１】）であって、
　
ｌ、ｎ、ｑ、ｓ、ｔ　可動体３７ａは、センター飾り体３４ａ上部の原点位置に位置し、液晶表示装置３６の前方を覆う位置まで下降し、演出の終了と共に、可動体３７ａは上昇し、再度、原点位置に戻り（【００９０】）、
　
ｍ、ｏ、ｐ、ｒ、ｕ、ｖ　竜の頭部の形状をした可動体３７ｂは、センター飾り体３４ａの右側の領域の原点位置に位置し、その口が開くような動作をし、演出の終了と共に、可動体３７ｂは再度、原点位置に戻り（【００９２】、【００９３】）、
　
ｗ　電源投入時に行われる可動体３７ｂの動作確認処理では、その動作経路上で正常に動作するか確認し（【００９５】）、
　
ｘ　遊技中は、第１可動体（可動体３７ａ）、第２可動体（可動体３７ｂ）の演出動作が終了した際に、第１、第２可動体原点位置判定処理及び原点位置復帰処理を行って、第１、第２可動体を常に原点位置にセットする（【００５３】、【０１９７】）
　弾球遊技機。」
　
　（３）対比
　本件補正発明と刊行物発明とを、分説に従い対比する。
　　（ａ１〜ａ５）刊行物発明における
　「変動表示装置３１」、
　「昇降役物ユニット９６」、
　「第１可動役物ユニット１０１」、
　「透明な導光板３３１」
　「装飾ベース５」の「鎧部５８」、「側辺部５９」、及び、「側部装飾部材６２」、
　「パチンコ遊技機１」は、それぞれ、本件補正発明における
　「表示可能な表示手段」、
　「動作可能な第一の可動体」、
　「動作可能な第二の可動体」、
　「光を透過可能な透過手段」、
　「装飾体」、
　「遊技台」に相当する。
　したがって、刊行物発明における構成ａ１〜ａ５は、本件補正発明における構成Ａ１〜Ａ５に相当する。
　
　　（ｂ）刊行物発明における構成ｂの「昇降役物ユニット９６」が有する「第１昇降役物本体部１７６、第２昇降役物本体部１９６は、展開状態で表示部３１ａの前方に配置され」ることは、前方とは遊技者のいる側のことであるから、本件補正発明における構成Ｂの「第一の可動体は、表示手段よりも遊技者側に位置する可動体であ」ることに相当する。
　
　　（ｃ）刊行物発明における構成ｃの「補助演出ユニット３３０は、昇降役物ユニット９６よりも前方に配置され」ることは、構成ａ４より「補助演出ユニット３３０」が「導光板３３１」を有することから、本件補正発明における構成Ｃの「透過手段は、第一の可動体よりも遊技者側に位置する手段であ」ることに相当する。
　
　　（ｄ）刊行物発明は、構成ｄにより「ステージ部６０の後方に位置する透明な仕切り壁部７１と昇降役物ユニット９６との間に、補助表示を実行して演出を行う補助演出ユニット３３０を配置」するから、「昇降役物ユニット９６」、「補助演出ユニット３３０」、「仕切り壁部７１」、及び、「ステージ部６０」は、それぞれ、この順番に遊技者から離れた位置から遊技者側に配置されているものといえる。
　また、刊行物発明における構成ｄの「鎧部５８と縦長な側辺部５９とは、装飾ベース５７よりも前方へ突出した状態に設定され、側部装飾部材６２は、装飾ベース５７の前面のうち側辺部５９とは反対側に止着され」ることは、「鎧部５８」、「側辺部５９」、及び、「側部装飾部材６２」が、いずれも、「ステージ部６０」の設けられた「装飾ベース５７よりも前方へ突出した状態に設定され」ていることを意味する。そうすると、刊行物発明における「鎧部５８」、「側辺部５９」、及び、「側部装飾部材６２」は、いずれも、「ステージ部６０」よりも遊技者側に配置されていることになるから、「ステージ部６０」よりも後方に配置されている「補助演出ユニット３３０」の「導光板３３１」よりも遊技者側に配置されているといえる。
　したがって、刊行物発明における構成ｄは、本件補正発明における構成Ｄの「装飾体は、透過手段よりも遊技者側に位置する装飾体であ」ることに相当する。
　
　　（ｅ）刊行物発明における構成ｅの「昇降役物ユニット９６の第１昇降役物本体部１７６、第２昇降役物本体部１９６」が、「展開状態で表示部３１ａの前方に配置され」ることは、パチンコ遊技機１の前方側からみて、「昇降役物ユニット９６の第１昇降役物本体部１７６、第２昇降役物本体部１９６」を展開状態で「表示部３１ａ」に重ねて視認できることであるから、本件補正発明における構成Ｅの「第一の可動体の少なくとも一部が、表示手段の少なくとも一部にオーバーラップする場合があ」ることに相当する。
　
　　（ｆ）刊行物発明における構成ｆの「補助演出ユニット３３０は、昇降役物ユニット９６よりも前方に配置されて表示部３１ａを被覆」することは、前方側からみて、「補助演出ユニット３３０」の「導光板３３１」を「表示部３１ａ」に重ねて視認できることであるから、本件補正発明における構成Ｆの「透過手段の少なくとも一部が、表示手段の少なくとも一部にオーバーラップ」することに相当する。
　
　　（ｇ）刊行物発明における構成ｇの「昇降役物ユニット９６の第１昇降役物本体部１７６、第２昇降役物本体部１９６」が、「表示部３１ａの前方に」「間隔を置いて配置され」ることは、本件補正発明における構成Ｇの「表示手段と第一の可動体との間には、第一の隙間が形成され」ることに相当する。
　
　　（ｈ）刊行物発明における構成ｈの「補助演出ユニット３３０」が、「昇降役物ユニット９６よりも前方に」「間隔を置いて配置され」ることは、構成ａ４より「補助演出ユニット３３０」が「導光板３３１」を有することから、本件補正発明における構成Ｈの「第一の可動体と透過手段との間には、第二の隙間が形成され」ることに相当する。
　
　　（ｉ）刊行物発明において、構成ｄの「仕切り壁部７１」と、構成ａ５の「鎧部５８」、「側辺部５９」、及び、「側部装飾部材６２」とは、構成ａ５より「装飾ベース５７」の下部に延設された「ステージ部６０」の奥行き方向の幅の長さだけ離れた状態に設定されている。
　そして、上記（ｄ）より「補助演出ユニット３３０」は、「仕切り壁部７１」の後ろに配置されているものである。
　そうすると、刊行物発明において、「補助演出ユニット３３０」が有する「導光板３３１」と、「鎧部５８」、「側辺部５９」、及び、「側部装飾部材６２」とは、「仕切り壁部７１」の厚み、及び、「ステージ部６０」の奥行き方向の幅を併せた長さだけ、互いに離れた状態に配置されているといえる。
　したがって、刊行物発明の構成ｉは、本件補正発明における構成Ｉの「透過手段と装飾体との間には、第三の隙間が形成され」ることに相当する。
　
　　（ｊ）刊行物発明における構成ｊの「導光板３３１」は、その高さが、「昇降役物ユニット９６が」「上下幅に亘って広がるように設定され」るものであり、構成ｈによると、「表示部３１ａよりも低」い高さである。
　したがって、「導光板３３１」の上部には、「表示部３１ａ」と「導光板３３１」の高さの差分に相当する上部空間が存在することになる。
　ゆえに、上記（ｈ）における「導光板３３１」と「昇降役物ユニット９６」との間の間隔を形成する空間と、上記（ｉ）における「導光板３３１」と「鎧部５８」、「側辺部５９」、及び、「側部装飾部材６２」との間の間隔を形成する空間とは、「導光板３３１」の上部に存在する上部空間を介して連通するものである。
　よって、刊行物発明は、本件補正発明における構成Ｊの「第三の隙間は、第二の隙間と少なくとも連通」する構成を備えるものである。
　
　　（ｋ）刊行物発明における構成ｋの「第１可動役物ユニット１０１」は、構成ａ２の「昇降役物ユニット９６」とは異なるものであるから、刊行物発明における構成ｋは、本件補正発明における構成Ｋの「第一の可動体と第二の可動体は異なる可動体であ」ることに相当する。
　
　　（ｌ、ｎ、ｑ）　刊行物発明における構成ｌ、ｎ、ｑの「下降状態」は、本件補正発明における構成Ｌの「第一の状態」に相当し、刊行物発明における構成ｌ、ｎの「下降状態」にあるときの昇降役物ユニット９６の位置は、本件補正発明における構成Ｎの「第一の位置」に相当する。
　また、刊行物発明における構成ｌ、ｎ、ｑの「下降状態」は、タイムチャートにおける昇降役物ユニット９６が初期位置にある状態のことであるから、本件補正発明における構成Ｑの「第一の位置とは、第一の可動体の初期位置のことであ」ることに相当する。
　したがって、刊行物発明における構成ｌ、ｎ、ｑは、本件補正発明における構成Ｌの「第一の可動体は、第一の状態から動作可能な可動体であ」ること、構成Ｎの「第一の状態とは、第一の可動体が第一の位置にある状態のことであ」ること、及び、構成Ｑの「第一の位置とは、第一の可動体の初期位置のことであ」ることに相当する。
　
　　（ｓ、ｔ）刊行物発明における構成ｓ、ｔの「昇降役物ユニット９６」が、「上昇状態から下降状態へ変換」することは、本件補正発明における構成Ｔの「第一の可動体が第一の状態に戻る動作のことであ」ることに相当する。
　したがって、刊行物発明における構成ｓ、ｔは、本件補正発明における構成Ｓの「第一の可動体は、第一の動作を実行可能な可動体であ」ること、及び、構成Ｔの「第一の動作とは、第一の可動体が第一の状態に戻る動作のことであ」ることに相当する。
　
　　（ｍ、ｏ、ｒ）刊行物発明における構成ｍ、ｏの「第１ユニットベース１１５を有する」「第１可動役物ユニット１０１」の「上昇状態」は、本件補正発明における構成Ｍ、Ｏの「第二の可動体」の「第二の状態」に相当し、刊行物発明における構成ｏの「第１可動役物ユニット１０１」の「第１装飾本体部１２１を搭載する第１ユニットベース１１５」が「上昇状態」にあるときの第１ユニットベース１１５の位置は、本件補正発明における構成Ｏの「第二の可動体」の「第二の位置」に相当する。
　また、刊行物発明における構成ｍ、ｏの「上昇状態」は、「第１可動役物ユニット１０１」の「第１装飾本体部１２１を搭載する第１ユニットベース１１５」が変動表示ゲームを行っていない初期位置にある状態のことであるから、本件補正発明における構成Ｒの「第二の可動体の初期位置」にある状態に相当する。
　したがって、刊行物発明における構成ｍ、ｏ、ｒは、本件補正発明における構成Ｍの「第二の可動体は、第二の状態から動作可能な可動体であ」ること、構成Ｏの「第二の状態とは、第二の可動体が第二の位置にある状態のことであ」ること、及び、構成Ｒの「第二の位置とは、第二の可動体の初期位置のことであ」ることに相当する。
　
　　（ｐ）刊行物発明における構成ｌ、ｎ、ｑの「昇降役物ユニット９６」が「下降状態」にあるときの位置と、構成ｐの「第１装飾本体部１２１を搭載する第１ユニットベース１１５」の「上方の位置」とは異なる位置である。
　したがって、刊行物発明は、本件補正発明の構成Ｐの「第一の位置と第二の位置は異なる位置であ」ることに相当する構成を備えるものである。
　
　上記（ａ）〜（ｐ）によれば、本件補正発明と刊行物発明は、
「Ａ１　表示可能な表示手段と、
Ａ２　動作可能な第一の可動体と、
Ａ３　動作可能な第二の可動体と、
Ａ４　光を透過可能な透過手段と、
Ａ５　装飾体と、
を備えた遊技台であって、
Ｂ　前記第一の可動体は、前記表示手段よりも遊技者側に位置する可動体であり、
Ｃ　前記透過手段は、前記第一の可動体よりも遊技者側に位置する手段であり、
Ｄ　前記装飾体は、前記透過手段よりも遊技者側に位置する装飾体であり、
Ｅ　前記第一の可動体の少なくとも一部が、前記表示手段の少なくとも一部にオーバーラップする場合があり、
Ｆ　前記透過手段の少なくとも一部が、前記表示手段の少なくとも一部にオーバーラップし、
Ｇ　前記表示手段と前記第一の可動体との間には、第一の隙間が形成され、
Ｈ　前記第一の可動体と前記透過手段との間には、第二の隙間が形成され、
Ｉ　前記透過手段と前記装飾体との間には、第三の隙間が形成され、
Ｊ　前記第三の隙間は、前記第二の隙間と少なくとも連通し、
Ｋ　前記第一の可動体と前記第二の可動体は異なる可動体であり、
Ｌ　前記第一の可動体は、第一の状態から動作可能な可動体であり、
Ｍ　前記第二の可動体は、第二の状態から動作可能な可動体であり、
Ｎ　前記第一の状態とは、前記第一の可動体が第一の位置にある状態のことであり、
Ｏ　前記第二の状態とは、前記第二の可動体が第二の位置にある状態のことであり、
Ｐ　前記第一の位置と前記第二の位置は異なる位置であり、
Ｑ　前記第一の位置とは、前記第一の可動体の初期位置のことであり、
Ｒ　前記第二の位置とは、前記第二の可動体の初期位置のことであり、
Ｓ　前記第一の可動体は、第一の動作を実行可能な可動体であり、
Ｔ　前記第一の動作とは、前記第一の可動体が前記第一の状態に戻る動作のことである
遊技台。」
　の点で一致し、構成Ｕ、Ｖ、Ｗ、Ｘに関して次の点で相違する。
　
［相違点１］（構成Ｕ、Ｖ）
　第二の可動体に関して、
　本件補正発明は、第二の可動体は、第二の動作を実行可能な可動体であり、第二の動作とは、第二の可動体が前記第二の位置から遠ざかる動作を開始してから前記第二の状態に戻るまでの動作のことであるのに対して、
　刊行物発明は、第二の可動体が、第二の動作を行うか否か不明である点。
　
［相違点２］（構成Ｗ、Ｘ）
　本件補正発明は、電源が投入されると第二の動作が実行され、図柄変動表示が実行される期間において第一の可動体が第一の状態でないと第一の動作が実行される場合があり、該第一の動作の後にも第二の動作が実行されるのに対して、
　刊行物発明は、そのような構成を備えるか否か明らかでない点。
　
　（４）当審の判断
　　　ア　相違点１，２について
　上記相違点１、２は、第二の動作に関する技術であるのでまとめて検討する。
　刊行物２発明における構成ａ２の「上下方向に移動する可動体３７ａ」は、本件補正発明における構成Ａ２の「動作可能な第一の可動体」に相当する。
　
　そして、刊行物２発明における構成ａ３、ｋの「竜の頭部の形状をした可動体３７ｂ」は、構成ａ２の「可動体３７ａ」とは異なるものであるから、本件補正発明における構成Ａ３、Ｋの「第二の可動体」に相当する。
　
　また、刊行物２発明における構成ｎ、ｑの「センター飾り体３４ａ上部の原点位置」は、本件補正発明における構成Ｎ、Ｑの「第一の位置」、及び、構成Ｑの「第一の可動体の初期位置」に相当し、構成ｌ、ｎの「センター飾り体３４ａ上部の原点位置に位置」する状態は、本件補正発明における構成Ｌ、Ｎの「第一の状態」に相当し、構成ｓ、ｔの「可動体３７ａは上昇し、再度、原点位置に戻」ることは、本件補正発明における構成Ｓ、Ｔの「第一の動作」に相当する。
　したがって、刊行物２発明における構成ｌ、ｎ、ｑ、ｓ、ｔは、本件補正発明における構成Ｌ、Ｎ、Ｑ、Ｓ、Ｔに相当する。
　
　また、刊行物２発明における構成ｏ、ｐ、ｒの「センター飾り体３４ａの右側の領域の原点位置」は、本件補正発明における構成Ｏ、Ｐ、Ｒの「第二の位置」、及び、「第二の可動体の初期位置」に相当し、構成ｍ、ｏの「センター飾り体３４ａの右側の領域の原点位置に位置」する状態は、本件補正発明における構成Ｍ、Ｏの「第二の状態」に相当し、構成ｕ、ｖの「液晶表示装置３６の前方を覆う位置まで下降し、演出の終了と共に、可動体３７ａは上昇し、再度、原点位置に戻」ることは、本件補正発明における構成Ｕ、Ｖの「第二の動作」に相当する。
　したがって、刊行物２発明における構成ｍ、ｏ、ｐ、ｒ、ｕ、ｖは、本件補正発明における構成Ｍ、Ｏ、Ｐ、Ｒ、Ｕ、Ｖに相当する。
　
　また、刊行物２発明における構成ｗの「可動体３７ｂの動作確認処理」では、構成ｕ、ｖにより特定される、可動体３７ｂに原点位置から口が開くような動作を行わせた後、再度、原点位置に戻す動作を行うに際し、可動体３７ｂが、その動作経路上で正常に動作するか否かを確認する処理であるから、刊行物２発明における「可動体３７ｂの動作確認処理では、その動作経路上で正常に動作するか確認」することは、本件補正発明における構成Ｗの「第二の動作が実行され」ることに相当する。
　そして、刊行物２発明における構成ｗの「電源投入時」は、本件補正発明における「電源が投入される」ときに相当する。
　したがって、刊行物２発明における構成ｗは、本件補正発明における構成Ｗに相当する。
　
　さらに、刊行物２発明における構成ｘの「遊技中」は、本件補正発明における構成Ｘの「図柄変動表示が実行される期間」に相当し、「第１、第２可動体原点位置判定処理及び原点位置復帰処理を行って、可動体を常に原点位置にセットする」ことは、「原点位置判定処理」の結果、第１可動体（可動体３７ａ）が原点位置にないと判定されると、第１可動体を原点位置に復帰させる「原点位置復帰処理を行」うことになるから、本件補正発明における構成Ｘの「第一の可動体が第一の状態でないと第一の動作が実行される場合があ」ることに相当する。
　したがって、刊行物２発明における構成ｘと、本件補正発明における構成Ｘとは、「図柄変動表示が実行される期間において第一の可動体が第一の状態でないと第一の動作が実行される場合があ」ることで共通する。
　
　したがって、刊行物２発明は、本件補正発明における
「Ａ２　動作可能な第一の可動体と、
Ａ３　動作可能な第二の可動体と
を備えた遊技台であって、
Ｋ　前記第一の可動体と前記第二の可動体は異なる可動体であり、
Ｌ　前記第一の可動体は、第一の状態から動作可能な可動体であり、
Ｍ　前記第二の可動体は、第二の状態から動作可能な可動体であり、
Ｎ　前記第一の状態とは、前記第一の可動体が第一の位置にある状態のことであり、
Ｏ　前記第二の状態とは、前記第二の可動体が第二の位置にある状態のことであり、
Ｐ　前記第一の位置と前記第二の位置は異なる位置であり、
Ｑ　前記第一の位置とは、前記第一の可動体の初期位置のことであり、
Ｒ　前記第二の位置とは、前記第二の可動体の初期位置のことであり、
Ｓ　前記第一の可動体は、第一の動作を実行可能な可動体であり、
Ｔ　前記第一の動作とは、前記第一の可動体が前記第一の状態に戻る動作のことであり、
Ｕ　前記第二の可動体は、第二の動作を実行可能な可動体であり、
Ｖ　前記第二の動作とは、前記第二の可動体が前記第二の位置から遠ざかる動作を開始してから前記第二の状態に戻るまでの動作のことであり、
Ｗ　電源が投入されると前記第二の動作が実行され、
Ｘ’図柄変動表示が実行される期間において前記第一の可動体が前記第一の状態でないと前記第一の動作が実行される場合がある遊技台。」に対応する構成を備えるものである。
　
　そして、本件補正発明における構成Ｎ、Ｑによると、「第一の状態」とは、第一の可動体が初期位置にある状態のことであるとされ、構成Ｔによると、「第一の動作」とは、第一の可動体が第一の状態に戻る動作のことであるとされていることからみて、本件補正発明における構成Ｘの「図柄変動表示が実行される期間に」「第一の動作が実行される場合」の「第一の動作」には、第一の可動体が初期位置に位置しないことに基づいて、第一の可動体を初期位置へ復帰させるために実行される動作が含まれる以外にも、第一の可動体を演出の一貫として初期位置に戻すためにのみ実行される動作も含まれるものである。
　同様に、本件補正発明における構成Ｘの「第一の動作の後」に「実行される」「第二の動作」は、構成Ｖによると、「第二の可動体が第二の位置から遠ざかる動作を開始してから第二の状態に戻るまでの動作」のことであるから、「第二の動作」に、第二の可動体の動作確認のために実行される動作を含む以外にも、演出の一貫としてのみ実行される第二の可動体の動作も含むものである。
　
　ところで、遊技機の技術分野において、１つの可動体について、変動遊技の開始に伴い、可動体を初期位置に戻す復帰動作を行った後に、他の可動体について、初期位置から遠ざかる動作を開始してから、初期位置に戻す動作を行うことは、本願出願前に周知の技術事項である（例えば、特開２０１３−２１５３６２号公報には、第２可動体について、変動開始時に異常が検知された場合、当該変動の開始とほぼ同時に基準位置に復帰させること（【００９８】）、当該変動開始から所定時間経過後に第１可動体についての上下方向の往復運動を開始する場合のある（【００４０】、【０１４０】）ぱちんこ遊技機（【０００１】）について記載され、
　特開２０１３−３４７０７号公報の【０００１】、【０３０６】〜【０３１０】、【０３１７】〜【０３２３】、【図４３】〜【図４４】には、第１可動体の原点位置への復帰動作を行った後に、第２可動体の動作タイミングにおいて、原点位置から進出位置まで駆動させた後、原点位置に復帰させる動作を行わせる遊技機について記載されている。）。
　
　ここで、刊行物発明と刊行物２発明とは、初期位置である第一の位置に戻る動作を行う第一の可動体と、初期位置である第二の位置から遠ざかる動作を開始する第二の可動体とを備える遊技機である点で共通する。
　また、刊行物１の【００９４】の「演出役物ユニット９５による演出動作に関しては、本実施形態では昇降役物ユニット９６と当接して干渉する虞があるため、昇降役物ユニット９６の演出動作とは連動せず、・・・」との記載、刊行物２の【０００５】の「・・・複数の可動体が動作範囲のある位置で干渉するように配置されている場合であっても、可動体動作確認処理で両可動体が接触し、壊れてしまうことを防止できる遊技機を提供する・・・」との記載からみて、刊行物発明と刊行物２発明とは、可動役物が動作時に他の部材と干渉する虞を低減させるという共通の課題を解決するものである。
　したがって、刊行物発明に、刊行物２発明を適用して、第二の可動体に、第二の位置から遠ざかる動作を開始してから第二の状態に戻るまでの第二の動作を実行可能とし、電源が投入されると第二の動作を実行させることは当業者が容易になし得たものである。
　そして、その際に、上記周知の技術事項を考慮することにより、第二の動作を電源投入時のみならず、図柄変動表示が実行される期間における第一の動作後にも実行可能とし、上記相違点２に係る本件補正発明の構成Ｘとすることは、当業者が必要に応じてなし得たものである。
　また、本件補正発明により奏される効果は、刊行物発明、刊行物２発明、及び、周知の技術事項から当業者が予測できる効果の範囲内のものであり、格別顕著なものとはいえない。
　
　　　イ　請求人の主張について
　請求人は、平成２９年７月５日付けの審判請求書において、本件補正発明と刊行物発明とは、刊行物発明が本件補正発明における構成Ｗ、Ｘを備えない点で相違すると共に、この点については、平成２９年２月３日付けの最後の拒絶の理由において提示された引用文献２にも開示されていない旨主張し、本件補正発明は、上記構成を備えることにより、「図柄変動表示が実行される期間において第一の可動体が第一の状態でないと第一の動作が実行されることで、図柄変動表示中においても、第一の可動体を作動不良から復帰させることができる場合があり、この第一の動作の後にも第二の動作が実行されることで、第二の可動体の動作確認ができる場合があり、経年的な劣化で一部の可動体に動作不良が生じた場合は、他の可動体にも動作不良が生じる可能性があり、一部の可動体が復帰動作を実行した場合に、他の可動体について初期動作を行わせることで、その動作確認を行うことができる場合がある、という格別の効果を発揮します。」（第１１頁第９〜１８行）と主張する。
　
　そこで、先ず、請求人が主張する、本件補正発明が構成Ｘを備えることにより奏する効果である「図柄変動表示中においても、第一の可動体を作動不良から復帰させることができる場合があ」ること（以下「効果イ」という。）について検討する。
　当該主張において、請求人は、本件補正発明が、あたかも、第一の動作については、第一の可動体を作動不良から復帰させるためのものであるかのような主張を行っているが、上記アにおいて検討したように、本件補正発明における構成Ｘの「第一の動作」に、第一の可動体が初期位置に位置しないことに基づいて、第一の可動体を初期位置へ復帰させるために実行される動作を含む以外にも、第一の可動体を演出の一貫として初期位置に戻すために実行される動作のみも含むものであることから、請求人の上記主張は本願の特許請求の範囲の記載に基づかない主張であるので採用することはできない。
　しかも、刊行物２発明は、その構成ｘにより「遊技中は、第１可動体（可動体３７ａ）、第２可動体（可動体３７ｂ）の演出動作が終了した際に、第１、第２可動体原点位置判定処理及び原点位置復帰処理を行って、第１、第２可動体を常に原点位置にセットする」ものであるから、上記請求人が主張する本件補正発明により奏される効果イは、刊行物２発明においても奏される効果であるといえる。
　さらに、遊技機の技術分野において、「図柄変動表示中においても、第一の可動体を作動不良から復帰させることができる場合があ」ることは、上記アにおいても検討したように本願出願前に周知の技術事項でもある。
　
　次に、上記請求人が主張する本件補正発明により奏される効果である「第一の動作の後にも第二の動作が実行されることで、第二の可動体の動作確認ができる場合があり、経年的な劣化で一部の可動体に動作不良が生じた場合は、他の可動体にも動作不良が生じる可能性があり、一部の可動体が復帰動作を実行した場合に、他の可動体について初期動作を行わせることで、その動作確認を行うことができる場合がある」（下線は、当審にて付与した。以下「主張ロ」という。）ことについて検討する。
　当該主張において、請求人は、本件補正発明が、あたかも、一部の可動体については、復帰動作を行い、他の可動体については、当該復帰動作の後に初期動作を行わせることまで特定するものであるかのような主張を行っているが、上記アにおいて検討したように、本件補正発明における構成Ｘの「第一の動作の後」に「実行される」「第二の動作」には、第二の可動体の動作確認のために実行される動作が含まれる以外にも、演出の一貫としてのみ実行される第二の可動体の動作も含まれるものであることから、請求人の上記主張は本願の特許請求の範囲の記載に基づかない主張であるので採用することはできない。
　そして、本件補正発明における「第二の動作」に、演出の一貫として実行される第二の可動体の動作のみを含むものであるとした場合については、上記アにおいて示したように本願出願前に周知の技術事項である。
　
　したがって、請求人の上記主張を採用することはできない。
　
　　　ウ　小括
　上記ア〜イにおいて検討したように、本件補正発明は、刊行物発明、刊行物２発明、及び、周知の技術事項に基づいて当業者が容易に発明をすることができたものであるから、特許法第２９条第２項の規定により、特許出願の際独立して特許を受けることができない。
　
　４　むすび
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、平成２８年９月２３日付け手続補正書の特許請求の範囲の請求項１に記載された事項により特定される次のとおりのものである。
「Ａ１　表示可能な表示手段と、
Ａ２　動作可能な第一の可動体と、
Ａ３　動作可能な第二の可動体と、
Ａ４　光を透過可能な透過手段と、
Ａ５　装飾体と、
を備えた遊技台であって、
Ｂ　前記第一の可動体は、前記表示手段よりも遊技者側に位置する可動体であり、
Ｃ　前記透過手段は、前記第一の可動体よりも遊技者側に位置する手段であり、
Ｄ　前記装飾体は、前記透過手段よりも遊技者側に位置する装飾体であり、
Ｅ　前記第一の可動体の少なくとも一部が、前記表示手段の少なくとも一部にオーバーラップする場合があり、
Ｆ　前記透過手段の少なくとも一部が、前記表示手段の少なくとも一部にオーバーラップし、
Ｇ　前記表示手段と前記第一の可動体との間には、第一の隙間が形成され、
Ｈ　前記第一の可動体と前記透過手段との間には、第二の隙間が形成され、
Ｉ　前記透過手段と前記装飾体との間には、第三の隙間が形成され、
Ｊ　前記第三の隙間は、前記第二の隙間と少なくとも連通し、
Ｋ　前記第一の可動体と前記第二の可動体は異なる可動体であり、
Ｌ　前記第一の可動体は、第一の状態から動作可能な可動体であり、
Ｍ　前記第二の可動体は、第二の状態から動作可能な可動体であり、
Ｎ　前記第一の状態とは、前記第一の可動体が第一の位置にある状態のことであり、
Ｏ　前記第二の状態とは、前記第二の可動体が第二の位置にある状態のことであり、
Ｐ　前記第一の位置と前記第二の位置は異なる位置であり、
Ｑ　前記第一の位置とは、前記第一の可動体の初期位置のことであり、
Ｒ　前記第二の位置とは、前記第二の可動体の初期位置のことであり、
Ｓ　前記第一の可動体は、第一の動作を実行可能な可動体であり、
Ｔ　前記第一の動作とは、前記第一の可動体が前記第一の状態に戻る動作のことであり、
Ｕ　前記第二の可動体は、第二の動作を実行可能な可動体であり、
Ｖ　前記第二の動作とは、前記第二の可動体が前記第二の位置から遠ざかる動作を開始してから前記第二の状態に戻るまでの動作のことであり、
Ｙ　第一の時期において前記第一の可動体が前記第一の状態でないと前記第一の動作が実行され、
Ｗ　電源が投入されると前記第二の動作が実行され、
Ｚ　前記第一の動作の後にも前記第二の動作が実行される、
ことを特徴とする遊技台。」
　ここで、本願発明は、本件補正発明の構成Ａ〜Ｗを含むものであり、本件補正発明における構成Ｘについて、その内容を一部変更して構成Ｙ、Ｚとするものである。
　
　２　刊行物
　原査定の拒絶の理由に引用された刊行物１の記載事項及び刊行物発明の認定については、前記「第２［理由］３（２）ア　刊行物１」に記載したとおりである。
　また、原査定の拒絶の理由に引用された刊行物２の記載事項及び刊行物２発明の認定は、構成ａ〜ｗについては、前記「第２［理由］３（２）イ　刊行物２」に記載したとおりであり、構成ｘについては、構成ｙ、ｚとして認定し直す。
　そして、刊行物２には、構成ｙ，ｚに関して、「上記のように、本実施形態の遊技機は、
動作範囲内のある位置で互いが干渉するように配置された第１、第２可動体を有する。電源投入時には、各可動体が各々の原点位置にいるか否かを判定し、原点位置にいない可動体に対してその原点位置に復帰させる。その後、所定の順番で可動体動作確認処理を行う。
第１、第２可動体原点位置判定処理、原点位置復帰処理、可動体動作確認処理を
遊技者が遊技を終えてから所定時間経過した際に、上記の各処理を行ってもよい。
　したがって、刊行物２には次の発明（以下「刊行物２’発明」という。）が記載されていると認められる（ａ〜ｚは、本願発明のＡ〜Ｚに対応させて付与した。）。
「ａ２　センター飾り体３４ａの上部に配置されている、上下方向に移動する可動体３７ａ（【００５１】）と、
　
ａ３、ｋ　センター飾り体３４ａの右側に配置されている、竜の頭部の形状をした可動体３７ｂ（【００５２】）と
　を備えた弾球遊技機（【０００１】）であって、
　
ｌ、ｎ、ｑ、ｓ、ｔ　可動体３７ａは、センター飾り体３４ａ上部の原点位置に位置し、液晶表示装置３６の前方を覆う位置まで下降し、演出の終了と共に、可動体３７ａは上昇し、再度、原点位置に戻り（【００９０】）、
　
ｍ、ｏ、ｐ、ｒ、ｕ、ｖ　竜の頭部の形状をした可動体３７ｂは、センター飾り体３４ａの右側の領域の原点位置に位置し、その口が開くような動作をし、演出の終了と共に、可動体３７ｂは再度、原点位置に戻り（【００９２】、【００９３】）、
　
ｗ　電源投入時に行われる可動体３７ｂの動作確認処理では、その動作経路上で正常に動作するか確認し（【００９５】）、
　
ｙ，ｚ　動作範囲内のある位置で互いが干渉するように配置された第１可動体（可動体３７ａ）、第２可動体（可動体３７ｂ）を有し、電源投入時には、各可動体が各々の原点位置にいるか否かを判定し、原点位置にいない可動体に対してその原点位置に復帰させ、その後、所定の順番で可動体動作確認処理を行い（【００５３】、【０１９１】）、
　第１、第２可動体原点位置判定処理、原点位置復帰処理、可動体動作確認処理を遊技者が遊技を終えてから所定時間経過した際に行ってもよい（【０１９６】）
　弾球遊技機。」
　
　３　対比
　本願発明と刊行物発明とを、分説に従い対比する。
　そうすると、本願発明と刊行物発明とは、本件補正発明と刊行物発明との対応関係と同様に、次の点で相違し、その余の点で一致する。
［相違点１］（構成Ｕ、Ｖ）
　第二の可動体に関して、
　本件補正発明は、第二の可動体は、第二の動作を実行可能な可動体であり、第二の動作とは、第二の可動体が前記第二の位置から遠ざかる動作を開始してから前記第二の状態に戻るまでの動作のことであるのに対して、
　刊行物発明は、第二の可動体が、第二の動作を行うか否か不明である点。
　
［相違点２’］（構成Ｙ，Ｚ）
　本願発明は、第一の時期において第一の可動体が第一の状態でないと第一の動作が実行され、電源が投入されると第二の動作が実行され、第一の動作の後にも第二の動作が実行されるのに対して、
　刊行物発明は、そのような構成を備えるか否か明らかでない点。
　
　４　判断
　（１）相違点１，２’について
　上記相違点１、２’は、第二の動作に関する技術であるのでまとめて検討する。
　刊行物２’発明における構成ｙ、ｚは、「可動体動作確認処理」を電源投入時のみならず、「遊技者が遊技を終えてから所定時間経過した際に」も行うことを特定するものである。
　そして、刊行物２’発明における構成ｙ、ｚの「遊技者が遊技を終えてから所定時間経過した際」は、本願発明における構成Ｙの「第一の時期」に相当する。
　また、刊行物２’発明における構成ｙ、ｚの「第１、第２可動体原点位置判定処理、原点位置復帰処理」を「行う」ことは、「原点位置判定処理」の結果、第１可動体（可動体３７ａ）が原点位置にないと判定されると、第１可動体を原点位置に復帰させる「原点位置復帰処理」を「行う」ことであるから、本願発明における構成Ｙの「第一の可動体が第一の状態でないと第一の動作が実行され」ることに相当する。
　したがって、刊行物２’発明における構成ｙ、ｚは、本願発明における構成Ｙの「第一の時期において第一の可動体が第一の状態でないと第一の動作が実行され」ることに相当する。
　
　また、刊行物２’発明における構成ｙ、ｚの「可動体動作確認処理」は、「電源投入時に」「各可動体が各々の原点位置にいるか否かを判定し、原点位置にいない可動体に対してその原点位置に復帰させ、その後、所定の順番で」行われるものである。
　そうすると、刊行物２’発明における構成ｙ、ｚは、「遊技者が遊技を終えてから所定時間経過した際に」、「第１、第２可動体原点位置判定処理」を行って、第１可動体が原点位置にないと判定されると、第１可動体を原点位置に復帰させる「原点位置復帰処理」を行い、「その後、所定の順番で可動体動作確認処理を行」うこと、すなわち、第２可動体の動作確認処理が行われることになるから、本願発明における構成Ｚの第一の時期において「第一の動作の後にも第二の動作が実行される」ことに相当する
　
　したがって、刊行物２’発明は、前記「第２［理由］３（４）ア　相違点１，２について」と同様にして、本願発明における構成Ｕ、Ｖ、Ｙ、Ｚに対応する構成を備えるものである。
　
　そして、刊行物発明と刊行物２’発明とは、初期位置である第一の位置に戻る動作を行う第一の可動体と、初期位置である第二の位置から遠ざかる動作を開始する第二の可動体とを備える遊技機である点で共通する。
　また、刊行物発明と刊行物２’発明とは、可動役物が動作時に他の部材と干渉する虞を低減させるという共通の課題を解決するものである。
　したがって、刊行物発明に、刊行物２’発明を適用して、第二の可動体に、第二の位置から遠ざかる動作を開始してから第二の状態に戻るまでの第二の動作を実行可能とし、第一の時期において第一の可動体が第一の状態でないと第一の動作が実行され、第一の動作の後に第二の動作が実行させることは当業者が容易になし得たものである。
　また、本願発明により奏される効果は、刊行物発明、及び、刊行物２’発明から当業者が予測できる効果の範囲内のものであり、格別顕著なものとはいえない。
　
　５　むすび
　以上のとおりであるから、本願発明は、特許法第２９条第２項の規定により特許を受けることができない。
　したがって、その余の請求項について検討するまでもなく、本願は拒絶すべきものである。
　よって、結論のとおり審決する。